(57)【要約】【課題】タッチスクリーンに表示された背景イメージと重畳して半透明レイヤを表示する画面表示制御装置及び方法を提供する。【解決手段】タッチスクリーンに背景イメージが表示され、背景イメージと重畳して半透明レイヤが表示される。ユーザが半透明レイヤをタッチ及びドラッグすれば、タッチ及びドラッグが発生した領域が透明に変更される。半透明レイヤは温度によって透明度を変更できる。【選択図】図８
2014179102.tif 000002
【特許請求の範囲】
【請求項１】
タッチスクリーンを含む画面表示制御装置であって、
背景イメージが表示され、ユーザ入力を感知するタッチスクリーンと、
前記背景イメージに重畳して第１レイヤが表示されるようにし、前記タッチスクリーンにおいてユーザ入力が感知された場合、前記ユーザ入力が感知された位置に該当する前記第１レイヤの一部領域の透明度が変更されるように制御する制御部と、
を含むことを特徴とする、画面表示制御装置。
【請求項２】
前記画面表示制御装置は温度センサを含み、
前記制御部は前記温度センサから出力された情報に基づいて温度を決定し、前記温度が予め決定された温度以上の場合、前記第１レイヤに水蒸気により曇ったイメージが表示されるようにし、前記温度が予め決定された温度より低い場合、前記第１レイヤに霜により曇ったイメージが表示されるように制御することを特徴とする、請求項１に記載の画面表示制御装置。
【請求項３】
前記制御部は、前記温度の変化に対応して前記第１レイヤの全体領域の透明度が変更されるように制御することを特徴とする、請求項２に記載の画面表示制御装置。
【請求項４】
前記制御部は、予め決定された時間経過後、前記第１レイヤに水滴客体が表示されるように制御することを特徴とする、請求項１に記載の画面表示制御装置。
【請求項５】
前記制御部は、前記水滴客体が重力方向に移動するように制御することを特徴とする、請求項４に記載の画面表示制御装置。
【請求項６】
前記制御部は、前記ユーザ入力が解除された位置に水滴客体が表示されるように制御することを特徴とする、請求項１に記載の画面表示制御装置。
【請求項７】
前記制御部は、時間経過につれて前記ユーザ入力が発生した位置の透明度が変化するように制御することを特徴とする、請求項１に記載の画面表示制御装置。
【請求項８】
前記画面表示制御装置は、湿度を検出する湿度センサを含み、
前記制御部は、前記湿度センサから出力された信号に対応して、前記第１レイヤの透明度を変化させることを特徴とする、請求項１に記載の画面表示制御装置。
【請求項９】
前記制御部は、前記霜により曇ったイメージが表示された場合には、前記ユーザ入力が解除された位置に霜が固まっている模様の客体が表示されるように制御することを特徴とする、請求項２に記載の画面表示制御装置。
【請求項１０】
前記タッチスクリーンには、前記第１レイヤに重畳して第２レイヤが表示され、前記第２レイヤは情報が表示される不透明領域を含むことを特徴とする、請求項１に記載の画面表示制御装置。
【請求項１１】
前記制御部は、前記装置の外部から受信されたデータにより温度を決定し、
前記温度が予め決定された温度以上の場合には、前記第１レイヤに水蒸気により曇ったイメージが表示されるようにし、前記温度が予め決定された温度より低い場合には、前記レイヤに霜により曇ったイメージが表示されるように制御することを特徴とする、請求項１に記載の画面表示制御装置。
【請求項１２】
前記制御部は、天気情報によって前記第１レイヤの全体領域の透明度を変更することを特徴とする、請求項１に記載の画面表示制御装置。
【請求項１３】
前記天気情報は、温度または湿度のうち、少なくとも１つを含むことを特徴とする、請求項１２に記載の画面表示制御装置。
【請求項１４】
前記第１レイヤは少なくとも２つの属性を有し、前記属性は温度によって決定されることを特徴とする、請求項１に記載の画面表示制御装置。
【請求項１５】
前記制御部は、温度が予め決定された温度以上の場合、前記第１レイヤの属性を第１属性と決定し、予め決定された温度より低い場合、前記第１レイヤの属性を第２属性と決定することを特徴とする、請求項１４に記載の画面表示制御装置。
【請求項１６】
タッチスクリーンを含む画面表示制御装置であって、
背景イメージが表示され、ユーザ入力を感知するタッチスクリーンと、
前記背景イメージに重畳して半透明レイヤが表示されるようにし、前記タッチスクリーンにおいてユーザ入力が感知された場合、前記ユーザ入力が感知された位置に該当する前記半透明レイヤの一部領域を透明に変更されるように制御する制御部と、
を含むことを特徴とする、画面表示制御装置。
【請求項１７】
タッチスクリーンを含む画面表示制御装置であって、
ユーザインターフェースを表示し、ユーザ入力を感知するタッチスクリーンと、
前記ユーザインターフェースに重畳して半透明レイヤが前記タッチスクリーンに表示されるようにして前記ユーザインターフェースを封止状態に維持し、
前記タッチスクリーンにユーザ入力が感知されれば、前記ユーザ入力が感知された領域に対応する半透明レイヤの一部領域の透明度を変更し、
前記ユーザ入力が感知された領域が前記タッチスクリーンの全体領域の一定比率以上の場合、前記ユーザインターフェースを封止解除状態に遷移させる制御部を含むことを特徴とする、画面表示制御装置。
【請求項１８】
タッチスクリーンを含む画面表示制御装置であって、
アプリケーションを実行させるための複数のアイコンを表示し、ユーザ入力を感知するタッチスクリーンと、
前記複数のアイコンに重畳して半透明レイヤを表示して前記複数のアイコンが選択されないようにし、
前記タッチスクリーンにユーザ入力が感知されれば、前記ユーザ入力が感知された領域に対応する前記半透明レイヤの透明度を変更して、前記複数のアイコンのうち、少なくとも１つのアイコンが選択可能な状態になるように制御する制御部を含むことを特徴とする、画面表示制御装置。
【請求項１９】
タッチスクリーンを含む電子装置の画面表示制御方法であって、
背景イメージが表示された前記タッチスクリーンに第１レイヤを表示するステップと、
前記タッチスクリーンにおいてユーザ入力を感知するステップと、
前記ユーザ入力が感知された位置に該当する前記第１レイヤの一部領域の透明度を変更するステップと、
を含むことを特徴とする、画面表示制御方法。
【請求項２０】
前記画面表示制御方法は、
温度を決定するステップと、
前記温度が予め決定された温度以上の場合、前記第１レイヤに水蒸気により曇ったイメージを表示し、前記温度が予め決定された温度より低い場合、前記第１レイヤに霜により曇ったイメージを表示するステップと、
をさらに含むことを特徴とする、請求項１９に記載の画面表示制御方法。
【請求項２１】
前記画面表示制御方法は、
前記温度の変化に対応して前記第１レイヤの全体領域の透明度を変更するステップをさらに含むことを特徴とする、請求項２０に記載の画面表示制御方法。
【請求項２２】
前記画面表示制御方法は、
予め決定された時間経過後、前記第１レイヤに水滴客体を表示するステップをさらに含むことを特徴とする、請求項２０に記載の画面表示制御方法。
【請求項２３】
前記画面表示制御方法は、
前記水滴客体が重力方向に移動するようにするステップをさらに含むことを特徴とする、請求項２２に記載の画面表示制御方法。
【請求項２４】
前記画面表示制御方法は、
前記ユーザ入力が解除された位置に水滴客体を表示するステップをさらに含むことを特徴とする、請求項１９に記載の画面表示制御方法。
【請求項２５】
前記画面表示制御方法は、
時間経過につれて前記ユーザ入力が発生した位置の透明度が変化されるようにするステップをさらに含むことを特徴とする、請求項１９に記載の画面表示制御方法。
【請求項２６】
前記画面表示制御方法は、
湿度を検出するステップと、
前記湿度に対応して、前記第１レイヤの透明度を変化させるステップと、
をさらに含むことを特徴とする、請求項１９に記載の画面表示制御方法。
【請求項２７】
前記画面表示制御方法は、
前記霜により曇ったイメージが表示された場合、前記ユーザ入力が解除された位置に霜が固まっている模様の客体を表示するステップをさらに含むことを特徴とする、請求項２０に記載の画面表示制御方法。
【請求項２８】
前記画面表示制御方法は、
前記第１レイヤに重畳して情報が表示される不透明領域を含む第２レイヤを表示するステップをさらに含むことを特徴とする、請求項１９に記載の画面表示制御方法。
【請求項２９】
前記画面表示制御方法は、
温度を決定するステップと、
前記決定された温度が予め決定された温度以上の場合には、前記第１レイヤに水蒸気により曇ったイメージを表示し、前記温度が予め決定された温度より低い場合には、前記第１レイヤに霜により曇ったイメージを表示するステップと、
をさらに含むことを特徴とする、請求項１９に記載の画面表示制御方法。
【請求項３０】
前記画面表示制御方法は、
天気情報によって前記第１レイヤの全体領域の透明度を変更するステップをさらに含むことを特徴とする、請求項１９に記載の画面表示制御方法。
【請求項３１】
前記天気情報は、温度または湿度のうち、少なくとも１つを含むことを特徴とする、請求項３０に記載の画面表示制御方法。
【請求項３２】
前記第１レイヤは少なくとも２つの属性を有し、前記属性は温度によって決定されることを特徴とする、請求項１９に記載の画面表示制御方法。
【請求項３３】
前記画面表示制御方法は、
温度が予め決定された温度以上の場合、前記第１レイヤの属性を第１属性と決定し、予め決定された温度より低い場合、前記第１レイヤの属性を第２属性と決定するステップをさらに含むことを特徴とする、請求項３２に記載の画面表示制御方法。
【請求項３４】
タッチスクリーンを含む電子装置の画面表示制御方法であって、
前記タッチスクリーンに背景イメージを表示するステップと、
前記背景イメージに重畳して半透明レイヤを表示するステップと、
前記タッチスクリーンにおいてユーザ入力を感知し、前記ユーザ入力が感知された位置に該当する前記半透明レイヤの一部領域を透明に変更するステップと、
を含むことを特徴とする、画面表示制御方法。
【請求項３５】
タッチスクリーンを含む電子装置の画面表示制御方法であって、
前記タッチスクリーンにユーザインターフェースを表示するステップと、
前記ユーザインターフェースに重畳して半透明レイヤを表示し、前記ユーザインターフェースを封止状態に維持するステップと、
前記タッチスクリーンにおいてユーザ入力を感知するステップと、
前記ユーザ入力が感知された領域に対応する半透明レイヤの一部領域の透明度を変更するステップと、
前記ユーザ入力が感知された領域が前記タッチスクリーン全体領域の一定比率以上の場合、前記ユーザインターフェースを封止解除状態に遷移させるステップと、
を含むことを特徴とする、画面表示制御方法。
【請求項３６】
タッチスクリーンを含む電子装置の画面表示制御方法であって、
前記タッチスクリーンにアプリケーションを実行させるための複数のアイコンを表示するステップと、
前記複数のアイコンに重畳して半透明レイヤを表示して前記複数のアイコンが選択されないようにするステップと、
前記タッチスクリーンにおいてユーザ入力を感知するステップと、
前記ユーザ入力が感知された領域に対応する前記半透明レイヤの透明度を変更して、前記複数のアイコンのうち、少なくとも１つのアイコンが選択可能な状態になるようにするステップと、
を含むことを特徴とする、画面表示制御方法。
【発明の詳細な説明】
【技術分野】
【０００１】
本発明は、タッチスクリーンを含んだ電子装置における画面表示を制御するための装置及び方法に係り、より詳しくは、タッチスクリーンを備えた携帯用端末装置において温度及び湿度を用いて、タッチスクリーンに表示されたイメージ及び客体の表示を制御するための装置及び方法に関する。
【背景技術】
【０００２】
タッチスクリーンは、グラフィックとテキストを表示し、ユーザが装置と相互作用するユーザインターフェースを提供するようにいろいろな電子装置に使われている。タッチスクリーンは、タッチスクリーン上の接触を検出し、反応する。タッチスクリーンは、１つ以上のソフトキー、メニューとタッチスクリーン上のその他のユーザインターフェース（客体）を表示する。ユーザは相互作用しようとするユーザインターフェース対象に対応する位置においてタッチスクリーンを接触して装置と相互作用する。
【０００３】
タッチスクリーンは、直観的なユーザインターフェースを提供できるので、携帯電話のような携帯用装置においてディスプレイ及びユーザ入力装置として広く使われている。
【０００４】
スマートフォンはタッチスクリーンを基本的な入出力装置として使用しており、温度センサ、湿度センサ、光センサなど、外部環境をセンシングするための多様なセンサを含んでいる。スマートフォンは、タッチスクリーンの直観的なインターフェースと多様なセンサを組み合わせてユーザに自然で、かつ感性的な経験を提供する。
【発明の概要】
【発明が解決しようとする課題】
【０００５】
本発明の目的は、タッチスクリーンに表示された背景イメージと重畳して半透明レイヤを表示する画面表示制御装置及び方法を提供することにある。
【０００６】
本発明の他の目的は、ユーザにより半透明レイヤにタッチ及びドラッグが入力される時、タッチ及びドラッグが発生した領域を透明に変更して提供する画面表示制御装置及び方法を提供することにある。
【０００７】
本発明の他の目的は、半透明レイヤを温度及び湿度のうち、少なくとも１つによって透明度を変更できる画面表示制御装置及び方法を提供することにある。
【課題を解決するための手段】
【０００８】
例示的な実施形態によれば、画面表示制御装置は背景イメージが表示され、タッチ及びドラッグなど、ユーザ入力を感知するタッチスクリーン及び上記背景イメージに重畳して第１レイヤが表示されるようにし、上記タッチスクリーンにおいてユーザ入力が感知された場合、上記ユーザ入力が感知された位置に該当する上記第１レイヤの一部領域の透明度が変更されるように制御する制御部を含む。
【０００９】
上記画面表示制御装置は温度センサを含み、上記制御部は上記温度センサから出力された情報に基づいて温度を決定し、上記温度が予め決定された温度より高い場合には、上記第１レイヤに水蒸気により曇ったイメージが表示されるようにし、上記温度が予め決定された温度の以下の場合、上記第１レイヤに霜により曇ったイメージが表示されるように制御することができる。
【００１０】
上記制御部は、上記温度の変化に対応して上記第１レイヤの全体領域の透明度が変更されるように制御することができる。
【００１１】
上記制御部は、予め決定された時間経過後、上記第１レイヤに水滴客体が表示されるように制御することができる。上記制御部は、上記水滴客体が重力方向に移動するように制御することができる。上記制御部は、上記ユーザ入力が解除された位置に水滴客体が表示されるように制御することができる。
【００１２】
上記制御部は、時間が経過するにつれて上記ユーザ入力が発生した位置の透明度が変化するように制御することができる。
【００１３】
例示的な実施形態によれば、上記画面表示制御装置は湿度を検出する湿度センサを含み、上記制御部は上記湿度センサから出力された信号に対応して、上記第１レイヤの透明度を変化させることができる。
【００１４】
上記制御部は、上記霜により曇ったイメージが表示された場合には、上記ユーザ入力が解除された位置に霜が固まっている形態の客体が表示されるように制御することができる。
【００１５】
上記タッチスクリーンには上記第１レイヤに重畳して第２レイヤが表示され、上記第２レイヤは情報が表示される不透明領域を含むことができる。
【００１６】
上記制御部は上記装置の外部から受信されたデータにより温度を決定し、上記温度が予め決定された温度より高い場合には上記第１レイヤに水蒸気により曇ったイメージが表示されるようにし、上記温度が予め決定された温度以下の場合には、上記レイヤに霜により曇ったイメージが表示されるように制御することができる。
【００１７】
上記制御部は、天気情報によって上記第１レイヤの全体領域の透明度を変更することができる。上記天気情報は、温度または湿度のうち、少なくとも１つを含むことができる。
【００１８】
上記第１レイヤは少なくとも２つの属性を有し、上記属性は温度によって決定できる。
【００１９】
上記制御部は、温度が予め決定された温度より高い場合、上記第１レイヤの属性を第１属性と決定し、予め決定された温度以下の場合、上記第１レイヤの属性を第２属性と決定することができる。
【００２０】
例示的な実施形態によれば、タッチスクリーンを含む画面表示制御装置は背景イメージが表示され、ユーザ入力を感知するタッチスクリーンを含む表示部、及び上記イメージに重畳して半透明レイヤが表示されるようにし、上記タッチスクリーンにおいてユーザ入力が感知された場合、上記ユーザ入力が感知された位置に該当する上記半透明レイヤの一部領域を透明に変更されるように制御する制御部を含むことができる。
【００２１】
例示的な実施形態によれば、タッチスクリーンを含む画面表示制御は、ユーザインターフェースを表示し、ユーザ入力を感知するタッチスクリーンを含む表示部、及び上記ユーザインターフェースに重畳して半透明レイヤが上記タッチスクリーンに表示されるようにして上記ユーザインターフェースを封止状態に維持し、上記タッチスクリーンにユーザ入力が感知されれば、上記ユーザ入力が感知された領域に対応する半透明レイヤの一部領域の透明度を変更し、上記ユーザ入力が感知された領域が上記タッチスクリーンの全体領域の一定比率以上の場合、上記ユーザインターフェースを封止解除状態に遷移させる制御部を含むことができる。
【００２２】
例示的な実施形態によれば、タッチスクリーンを含む画面表示制御装置は、アプリケーションを実行させるための複数のアイコンを表示し、ユーザ入力を感知するタッチスクリーンを含む表示部、及び上記複数のアイコンに重畳して半透明レイヤを表示して上記複数のアイコンが選択されないようにし、上記タッチスクリーンにユーザ入力が感知されれば、上記ユーザ入力が感知された領域に対応する上記半透明レイヤの透明度を変更して、上記複数のアイコンのうち、少なくとも１つのアイコンが選択可能な状態になるように制御する制御部を含むことができる。
【００２３】
例示的な実施形態によれば、タッチスクリーンを含む電子装置の画面表示制御方法において、背景イメージが表示された上記タッチスクリーンに第１レイヤを表示するステップ、上記タッチスクリーンによりユーザ入力を感知するステップ、及び上記ユーザ入力が感知された位置に該当する上記第１レイヤの一部領域の透明度を変更するステップを含むことができる。
【００２４】
上記画面表示制御方法は、温度を決定するステップ、上記温度が予め決定された温度より高い場合、上記第１レイヤに水蒸気により曇ったイメージを表示し、上記温度が予め決定された温度以下の場合、上記第１レイヤに霜により曇ったイメージを表示するステップをさらに含むことができる。
【００２５】
上記画面表示制御方法は、上記温度の変化に対応して上記第１レイヤの全体領域の透明度を変更するステップをさらに含むことができる。
【００２６】
上記画面表示制御方法は、予め決定された時間経過後、上記第１レイヤに水滴客体を表示するステップをさらに含むことができる。
【００２７】
上記画面表示制御方法は、上記水滴客体が重力方向に移動するようにするステップをさらに含むことができる。
【００２８】
上記画面表示制御方法は、上記ユーザ入力が解除された位置に水滴客体を表示するステップをさらに含むことができる。
【００２９】
上記画面表示制御方法は、時間が経過するにつれて上記ユーザ入力が発生した位置の透明度が変化されるようにするステップをさらに含むことができる。
【００３０】
上記画面表示制御方法は、湿度を検出するステップ、及び上記湿度に対応して上記第１レイヤの透明度を変化させるステップをさらに含むことができる。
【００３１】
上記画面表示制御方法は、上記霜により曇ったイメージが表示された場合、上記ユーザ入力が解除された位置に霜が固まっている形態の客体を表示するステップをさらに含むことができる。
【００３２】
上記画面表示制御方法は、上記第１レイヤに重畳して情報が表示される不透明領域を含む第２レイヤを表示するステップをさらに含むことができる。
【００３３】
例示的な実施形態によれば、上記画面表示制御方法は、温度を決定するステップ、及び上記決定された温度が予め決定された温度より高い場合には、上記第１レイヤに水蒸気により曇ったイメージを表示し、上記温度が予め決定された温度以下の場合には、上記第１レイヤに霜により曇ったイメージを表示するステップをさらに含むことができる。
【００３４】
上記画面表示制御方法は、天気情報によって上記第１レイヤの全体領域の透明度を変更するステップをさらに含むことができる。上記天気情報は、温度または湿度のうち、少なくとも１つを含むことができる。
【００３５】
上記第１レイヤは少なくとも２つの属性を有し、上記属性は温度によって決定できる。
【００３６】
上記画面表示制御方法は、温度が予め決定された温度より高い場合、上記第１レイヤの属性を第１属性と決定し、予め決定された温度以下の場合、上記第１レイヤの属性を第２属性と決定するステップをさらに含むことができる。
【００３７】
例示的な実施形態によれば、タッチスクリーンを含む電子装置の画面表示制御方法は、上記タッチスクリーンに背景イメージを表示するステップ、上記イメージに重畳して半透明レイヤを表示するステップ、及び上記タッチスクリーンによりユーザ入力を感知し、上記ユーザ入力が感知された位置に該当する上記半透明レイヤの一部領域を透明に変更するステップを含むことができる。
【００３８】
例示的な実施形態によれば、タッチスクリーンを含む電子装置の画面表示制御方法は、上記タッチスクリーンにユーザインターフェースを表示するステップ、上記ユーザインターフェースに重畳して半透明レイヤを表示し、上記ユーザインターフェースを封止状態に維持するステップ、上記タッチスクリーンによりユーザ入力を感知するステップ、上記ユーザ入力が感知された領域に対応する半透明レイヤの一部領域の透明度を変更するステップ、及び上記ユーザ入力が感知された領域が上記タッチスクリーンの全体領域の一定比率以上の場合、上記ユーザインターフェースを封止解除状態に遷移させるステップを含むことができる。
【００３９】
例示的な実施形態によれば、タッチスクリーンを含む電子装置の画面表示制御方法は、上記タッチスクリーンにアプリケーションを実行させるための複数のアイコンを表示するステップ、上記複数のアイコンに重畳して半透明レイヤを表示して上記複数のアイコンが選択されないようにするステップ、上記タッチスクリーンによりユーザ入力を感知するステップ、上記ユーザ入力が感知された領域に対応する上記半透明レイヤの透明度を変更して、上記複数のアイコンのうち、少なくとも１つのアイコンが選択可能な状態になるようにするステップを含むことができる。
【発明の効果】
【００４０】
タッチスクリーンに背景イメージを表示し、背景イメージと重畳して半透明レイヤを表示する画面表示制御方法及び装置が提供できる。
【００４１】
背景イメージと重畳して表示される半透明レイヤにタッチ及びドラッグが入力されれば、タッチ及びドラッグが発生した領域を透明に変更して表示する画面表示制御方法及び装置が提供できる。
【００４２】
半透明レイヤを温度及び湿度のうち、少なくとも１つによって透明度を異なるように変更する画面表示制御方法及び装置が提供できる。
【図面の簡単な説明】
【００４３】
【図１】本発明の実施形態による電子装置のブロック図である。
【図２】本発明の電子装置のタッチスクリーンに表示される背景イメージ及びレイヤ画面を示す図である。
【図３】本発明の電子装置のタッチスクリーンに表示される背景イメージ及びレイヤ画面を示す図である。
【図４】本発明の電子装置のタッチスクリーンにおいて、ユーザ入力を感知する時の処理過程を説明するフローチャートである。
【図５】本発明の電子装置のタッチスクリーンにおいてタッチ及びドラッグにより画面に表れるグラフィック客体を示す図である。
【図６】本発明の電子装置のタッチスクリーンにおいてタッチ及びドラッグにより画面に表れるグラフィック客体を示す図である。
【図７】本発明の電子装置のタッチスクリーンにおいて、温度によってレイヤが異なる属性として表示される過程を説明するフローチャートである。
【図８】本発明の電子装置のタッチスクリーンにおいて、温度によってレイヤが各々異なる属性として表示されることを示す図である。
【図９】本発明の電子装置のタッチスクリーンにおいて、温度によってレイヤが各々異なる属性として表示されることを示す図である。
【図１０】本発明の電子装置において、温度変化に従う処理過程を説明するフローチャートである。
【図１１】本発明の電子装置のタッチスクリーンにおいて、温度変化によって透明度が変更されることを示す図である。
【図１２】本発明の電子装置のタッチスクリーンにおいて、温度変化によって透明度が変更されることを示す図である。
【図１３】本発明の電子装置のタッチスクリーンにおいて、タッチ及びドラッグの動作が解除された時の処理過程を説明するフローチャートである。
【図１４】本発明の電子装置のタッチスクリーンにおいて、タッチ及びドラッグ動作が解除された地点に第１レイヤに水滴客体が表示される図である。
【図１５】本発明の電子装置におけるタッチスクリーンにおいて、水滴客体が表示された以後、一定時間経過した時の処理過程を説明するフローチャートである。
【図１６】本発明の電子装置におけるタッチスクリーンにおいて、水滴客体が表示された以後、一定時間経過した時の水滴客体が移動することを示す図である。
【図１７】本発明の電子装置におけるタッチスクリーンにおいて、水滴が表示された以後、一定時間経過した時の水滴が移動することを示す図である。
【図１８】本発明の電子装置におけるタッチスクリーンにおいて、レイヤに霜により曇ったイメージが表示された状態におけるタッチ及びドラッグ検出時の処理過程を説明するフローチャートである。
【図１９】本発明の電子装置のタッチスクリーンにおいて、レイヤに霜により曇ったイメージが表示された状態においてタッチ及びドラッグ動作解除時、タッチスクリーンに表示される霜固まり形状の客体を示す画面である。
【図２０】本発明の電子装置のタッチスクリーンにおいて、レイヤに霜により曇ったイメージが表示された状態においてタッチ及びドラッグ動作解除時、タッチスクリーンに表示される霜固まり形状の客体を示す画面である。
【図２１】本発明の電子装置のタッチスクリーンにおいて、レイヤに霜により曇ったイメージが表示された状態においてタッチ及びドラッグ動作解除時、タッチスクリーンに表示される霜固まり形状の客体を示す画面である。
【図２２】本発明の電子装置におけるタッチスクリーンにおいて、タッチ及びドラッグによりレイヤの一部領域が透明に変更された後、一定時間経過後の処理過程を説明するフローチャートである。
【図２３】本発明の電子装置におけるタッチスクリーンにおいて、タッチ及びドラッグによりレイヤの一部領域が透明に変更された後、一定時間経過後、透明領域が消えることを示す図である。
【図２４】本発明の電子装置におけるタッチスクリーンにおいて、タッチ及びドラッグによりレイヤの一部領域が透明に変更された後、一定時間経過後、透明領域が消えることを示す図である。
【図２５】本発明の電子装置におけるタッチスクリーンにおいて、タッチ及びドラッグによりレイヤの一部領域が透明に変更された後、一定時間経過後、透明領域が消えることを示す図である。
【図２６】本発明の電子装置のタッチスクリーンにおいて、タッチ及びドラッグによりレイヤの一部領域が透明に変更された後、一定時間経過後、透明領域が順次に消えることを示す図である。
【図２７】本発明の電子装置のタッチスクリーンにおいて、タッチ及びドラッグによりレイヤの一部領域が透明に変更された後、一定時間経過後、透明領域が順次に消えることを示す図である。
【図２８】本発明の電子装置のタッチスクリーンにおいて、タッチ及びドラッグによりレイヤの一部領域が透明に変更された後、一定時間経過後、透明領域が順次に消えることを示す図である。
【図２９】本発明の電子装置のタッチスクリーンにおいて、タッチ及びドラッグによりレイヤの一部領域が透明に変更された後、一定時間経過後、透明領域が順次に消えることを示す図である。
【図３０】本発明の電子装置のタッチスクリーンにおいて、約９０％領域においてタッチ及びドラッグが発生した時、レイヤ全体を不透明に再変更することを示す図である。
【図３１】本発明の電子装置のタッチスクリーンにおいて、約９０％領域においてタッチ及びドラッグが発生した時、レイヤ全体を不透明に再変更することを示す図である。
【図３２】本発明の電子装置のタッチスクリーンにおいて、約９０％領域においてタッチ及びドラッグが発生した時、レイヤ全体を不透明に再変更することを示す図である。
【図３３】本発明の電子装置のタッチスクリーンにおいて、湿度変更に従う処理過程を説明するフローチャートである。
【図３４】本発明の電子装置のタッチスクリーンにおいて、温度及び湿度変化によってレイヤの多様な表示形態を示す図である。
【図３５】本発明の電子装置のタッチスクリーンにおける、温度及び湿度変化によるレイヤの多様な表示形態を示す図である。
【図３６】本発明の電子装置のタッチスクリーンにおける、温度及び湿度変化によるレイヤの多様な表示形態を示す図である。
【図３７】本発明の電子装置のタッチスクリーンにおける、温度及び湿度変化によるレイヤの多様な表示形態を示す図である。
【図３８】本発明の電子装置のタッチスクリーンにおける、温度及び湿度変化によるレイヤの多様な表示形態を示す図である。
【図３９】本発明の電子装置のタッチスクリーンにおいて、タッチを持続する時間によって透明に変更される領域が拡大されることを示す図である。
【図４０】本発明の電子装置のタッチスクリーンにおいて、ユーザ入力を検出してユーザインターフェース封止状態を解除する過程を示す図である。
【図４１】本発明の電子装置のタッチスクリーンにおいて、ユーザ入力を検出してユーザインターフェース封止状態を解除する過程を示す図である。
【図４２】本発明の電子装置のタッチスクリーンにおいて、ユーザ入力を検出してユーザインターフェース封止状態を解除する過程を示す図である。
【図４３】本発明の電子装置のタッチスクリーンにおいて、ユーザ入力を検出してユーザインターフェース封止状態を解除する過程を示す図である。
【図４４】ユーザインターフェース封止状態において、タッチスクリーンの一部分領域がユーザインターフェース封止解除状態に切り換えられる過程を示す図である。
【図４５】本発明の電子装置のユーザインターフェース封止状態において、タッチスクリーンの一部分領域がユーザインターフェース封止解除状態に切り換えられる過程を示す図である。
【図４６】本発明の電子装置のユーザインターフェース封止状態において、タッチスクリーンの一部分領域がユーザインターフェース封止解除状態に切り換えられる過程を示す図である。
【発明を実施するための形態】
【００４４】
以下、例示的な実施形態の一側面または他の側面を、添付した図面を参照して詳細に説明する。しかしながら、本発明は実施形態により制限または限定されるものではない。各図面に提示する同一の参照符号は同一の部材を表す。
【００４５】
また、本明細書及び添付した特許請求範囲に使う単数型は文脈上、明確な指摘がない限り、複数型も含むと意図されたものである。また、本明細書に使う“及び”という用語は列挙した関連アイテムのうちの１つ以上のアイテムの可能な全ての組合を指称し、含むと理解されなければならない。
【００４６】
図１は、本発明の実施形態による電子装置のブロック図である。図１を参照すると、電子装置１００は、移動通信ユニット１２０、サブ通信ユニット１３０、及びコネクタ１６５を用いて外部装置（図示せず）と連結できる。“外部装置”は他の電子装置（図示せず）、携帯電話（図示せず）、スマートフォン（図示せず）、入力ユニット（図示せず）、タブレットＰＣ（図示せず）、及びサーバ（図示せず）を含む。電子装置は携帯可能であり、データ送受信が可能な装置であって、少なくとも１つのタッチスクリーンが備えられる。このような電子装置は、携帯電話、スマートフォン、タブレットＰＣ、３Ｄ−ＴＶ、スマートＴＶ、ＬＥＤ  ＴＶ、ＬＣＤ  ＴＶなどを含み、それ以外にも周辺機器または遠距離に位置した他の装置とデータ送受信が可能な装置を含む。
【００４７】
電子装置１００は、タッチスクリーン１９０、及びタッチスクリーンコントローラ１９５を含む。タッチスクリーン１９０及びタッチスクリーンコントローラ１９５は、表示部（図示せず）になることができる。
【００４８】
また、電子装置は、制御部１１０、移動通信ユニット１２０、サブ通信ユニット１３０、マルチメディアユニット１４０、カメラユニット１５０、ＧＰＳユニット１５５、入／出力ユニット１６０、センサユニット１７０、格納部１７５、及び電源供給部１８０を含む。サブ通信ユニット１３０は、無線ＬＡＮユニット１３１及び近距離通信ユニット１３２のうち、少なくとも１つを含み、マルチメディアユニット１４０は、放送通信ユニット１４１、オーディオ再生ユニット１４２、及び動画再生ユニット１４３のうち、少なくとも１つを含む。カメラユニット１５０は第１カメラ１５１及び第２カメラ１５２のうちの少なくとも１つを含み、入／出力ユニット１６０は、ボタン１６１、マイク１６２、スピーカー１６３、振動モータ１６４、コネクタ１６５、キーパッド１６６、及び入力ユニット１６７のうちの少なくとも１つを含み、センサユニット１７０は、温度センサ１７１及び湿度センサ１７２を含む。
【００４９】
制御部１１０は、ＣＰＵ（Ｃｅｎｔｒａｌ  Ｐｒｏｃｅｓｓｉｎｇ  Ｕｎｉｔ）１１１、電子装置の制御のための制御プログラムが格納されたロム（ＲＯＭ）１１２及び電子装置の外部から入力される信号またはデータを格納するか、または電子装置において行われる作業に対する格納領域に使われるラム（ＲＡＭ）１１３を含む。
【００５０】
制御部１１０は、電子装置の全般的な動作及び電子装置の内部構成要素（１２０乃至１９５）の間の信号流れを制御し、データを処理する機能を遂行する。制御部１１０は、電源供給部１８０から内部構成要素（１２０乃至１９５）への電源供給を制御する。また、制御部１１０は格納部１７５に格納されたＯＳ（Ｏｐｅｒａｔｉｏｎ  Ｓｙｓｔｅｍ）及びアプリケーションを実行する。
【００５１】
ＣＰＵ１１１は、グラフィック処理のためのＧＰＵ（Ｇｒａｐｈｉｃ  Ｐｒｏｃｅｓｓｉｎｇ  Ｕｎｉｔ、図示せず）を含むことができる。ＣＰＵ１１１は、コア（図示せず）とＧＰＵ（図示せず）がＳｏＣ（Ｓｙｓｔｅｍ  Ｏｎ  Ｃｈｉｐ）でありうる。ＣＰＵ１１１は、シングルコア、デュアルコア、トリプルコア、クォードコア、及び倍数のコアを含む。また、ＣＰＵ１１１、ロム１１２、及びラム１１３は、内部バス（ｂｕｓ）を通じて相互連結できる。
【００５２】
制御部１１０は、移動通信ユニット１２０、サブ通信ユニット１３０、マルチメディアユニット１４０、カメラユニット１５０、ＧＰＳユニット１５５、入／出力ユニット１６０、センサユニット１７０、格納部１７５、電源供給部１８０、タッチスクリーン１９０、及びタッチスクリーンコントローラ１９５を制御する。
【００５３】
移動通信ユニット１２０は、制御部１１０の制御によって、１つまたは複数のアンテナ（図示せず）を用いて移動通信を通じて電子装置１００が外部装置と連結されるようにする。移動通信ユニット１２０は、電子装置１００に入力される電話番号を有する携帯電話（図示せず）、スマートフォン（図示せず）、タブレットＰＣ、または他の電子装置（図示せず）と音声通話、画像通話、文字メッセージ（ＳＭＳ）、マルチメディアメッセージ（ＭＭＳ）、及びデータ通信のための無線信号を送／受信する。
【００５４】
サブ通信ユニット１３０は、無線ＬＡＮユニット１３１と近距離通信ユニット１３２のうち、少なくとも１つを含む。例えば、無線ＬＡＮユニット１３１のみ含んだり、近距離通信ユニット１３２のみ含んだり、または無線ＬＡＮユニット１３１と近距離通信ユニット１３２両方を含む。
【００５５】
無線ＬＡＮユニット１３１は、制御部１１０の制御によって、ＡＰ（ａｃｃｅｓｓ  ｐｏｉｎｔ）（図示せず）が設置された場所において無線を用いてインターネットに連結できる。無線ＬＡＮユニット１３１は、米国電気電子学会（ＩＥＥＥ）の無線ＬＡＮ規格（ＩＥＥＥ８０２．１１ｘ）をサポートする。近距離通信ユニット１３２は、制御部１１０の制御によって、電子装置と外部装置との間において無線により近距離通信を行う。近距離通信には、ブルートゥース（登録商標）（ｂｌｕｅｔｏｏｔｈ（登録商標））、赤外線通信（ｉｎｆｒａｒｅｄ  ｄａｔａ  ａｓｓｏｃｉａｔｉｏｎ、ＩｒＤＡ）、及びＮＦＣ（Ｎｅａｒ  Ｆｉｅｌｄ  Ｃｏｍｍｕｎｉｃａｔｉｏｎ）などが含まれる。
【００５６】
電子装置は、性能によって、移動通信ユニット１２０、無線ＬＡＮユニット１３１、及び近距離通信ユニット１３２のうち、少なくとも１つを含むことができる。例えば、電子装置１００は、性能によって、移動通信ユニット１２０、無線ＬＡＮユニット１３１、及び近距離通信ユニット１３２などの組合を含むことができる。本発明の実施形態において、“通信ユニット”という用語は、移動通信ユニット１２０、サブ通信ユニット１３０を含む。
【００５７】
マルチメディアユニット１４０は、放送通信ユニット１４１、オーディオ再生ユニット１４２、または動画再生ユニット１４３を含む。放送通信ユニット１４１は、制御部１１０の制御によって、放送通信アンテナ（図示せず）を介して外部の放送局から送出される放送信号（例えば、ＴＶ放送信号、ラジオ放送信号、またはデータ放送信号）、及び放送付加情報（例えば、ＥＰＳ（Ｅｌｅｃｔｒｉｃ  Ｐｒｏｇｒａｍ  Ｇｕｉｄｅ）またはＥＳＧ（Ｅｌｅｃｔｒｉｃ  Ｓｅｒｖｉｃｅ  Ｇｕｉｄｅ））を受信し、タッチスクリーン、ビデオコーデックユニット（Ｃｏｄｅｃ  ｕｎｉｔ：図示せず）、及びオーディオコーデックユニット（図示せず）を用いて再生する。
【００５８】
オーディオ再生ユニット１４２は、制御部１１０の制御によって、電子装置の格納部１７５に予め格納されるか、または携帯装置１００の外部から受信されるオーディオソース（例えば、ファイル拡張子がｍｐ３、ｗｍａ、ｏｇｇ、またはｗａｖであるオーディオファイル）をオーディオコーデックユニットを用いて再生する。
【００５９】
動画再生ユニット１４３は、制御部１１０の制御によって、電子装置の格納部１７５に予め格納されるか、または電子装置１００の外部から受信されるディジタル動画ファイル（例えば、ファイル拡張子がｍｐｅｇ、ｍｐｇ、ｍｐ４、ａｖｉ、ｍｏｖ、またはｍｋｖであるファイル）をビデオコーデックユニットを用いて再生する。電子装置に設置可能な大部分のアプリケーションは、オーディオコーデックユニットまたはビデオコーデックユニットを用いてオーディオ及び動画を再生する。
【００６０】
多くの種類のビデオ及びオーディオコーデックユニットが生産及び販売されていることは、当該技術分野において通常の知識を有する者であれば容易に理解できる。また、動画再生ユニット１４３は、ビデオコーデックユニットまたはオーディオコーデックユニットを用いてオーディオソースを再生する。
【００６１】
マルチメディアユニット１４０は、放送通信ユニット１４１を除いてオーディオ再生ユニット１４２と動画再生ユニット１４３を含む。また、マルチメディアユニット１４０のオーディオ再生ユニット１４２または動画再生ユニット１４３は、制御部１１０、１００に含まれることができる。本発明の実施形態において、“ビデオコーデックユニット”という用語は、１つまたは複数のビデオコーデックユニットを含む。本発明の実施形態において、“オーディオコーデックユニット”という用語は１つまたは複数のオーディオコーデックユニットを含む。
【００６２】
カメラユニット１５０は、制御部１１０の制御によって、静止画または動画を撮影する前面の第１カメラ１５１及び後面の第２カメラ１５２のうち、少なくとも１つを含む。カメラユニット１５０は、第１カメラ１５１と第２カメラ１５２のうち、１つまたは両者を含む。また、第１カメラ１５１または第２カメラ１５２は、撮影に必要な光量を提供する補助光源（例えば、フラッシュ１５３）を含むことができる。
【００６３】
カメラユニット１５０は、少なくとも１つの追加カメラ（図示せず）を有し、例えば、第１カメラ１５１または第２カメラ１５２と追加カメラとの間隔は２ｃｍ乃至８ｃｍであるように位置して、制御部１１０の制御によって、３次元静止画または３次元動画を撮影できる。
【００６４】
ＧＰＳユニット１５５は、地球軌道上にある複数のＧＰＳ衛星（図示せず）から電波を受信する。電子装置は、ＧＰＳ衛星（図示せず）からＧＰＳユニット１５５までの電波到達時間（Ｔｉｍｅ  ｏｆ  Ａｒｒｉｖａｌ）を用いて電子装置１００の位置を算出する。
入／出力ユニット１６０は、複数のボタン１６１、マイク１６２、スピーカー１６３、振動モータ１６４、コネクタ１６５、キーパッド１６６、及び入力ユニット１６７のうち、少なくとも１つを含む。
【００６５】
ボタン１６１は、物理的ボタンでなく、タッチボタンにより具現できる。また、ボタン１６１はタッチスクリーン１９０の内に表示できる。
【００６６】
マイク１６２は、制御部１１０の制御によって、外部から音声（ｖｏｉｃｅ）またはサウンド（ｓｏｕｎｄ）の入力を受けて電気的な信号を生成する。マイク１６２により生成された電気的な信号は、オーディオコーデックユニットにより変換されて格納部１７５に格納されるか、またはスピーカー１６３を介して出力できる。マイク１６２は、電子装置１００の前面、側面、及び後面に１つまたは複数位置できる。また、側面のみに少なくとも１つ以上のマイクが位置できる。
【００６７】
スピーカー１６３は、制御部１１０の制御によって、オーディオコーデックユニットを用いて移動通信ユニット１２０、サブ通信ユニット１３０、マルチメディアユニット１４０、またはカメラユニット１５０の多様な信号（例えば、無線信号、放送信号、オーディオソース、動画ファイル、または写真撮影など）に対応するサウンドを電子装置１００の外部に出力する。
【００６８】
スピーカー１６３は、電子装置１００が遂行する機能に対応するサウンド（例えば、電話通話に対応するボタン操作音、または通話連結音）を出力する。
【００６９】
振動モータ１６４は、制御部１１０の制御によって、電気的信号を機械的振動に変換する。例えば、他の携帯装置（図示せず）から音声通話要請が受信される場合、振動モードにある電子装置１００において振動モータ１６４が動作する。振動モータ１６４は、電子装置１００に１つまたは複数位置することができる。また、振動モータ１６４は電子装置１００の全体を振動させるか、または電子装置１００の一部分のみ振動させる。
【００７０】
コネクタ１６５は、電子装置１００と外部装置（図示せず）または電源ソース（図示せず）を連結するためのインターフェースとして利用できる。制御部１１０の制御によって、コネクタ１６５に連結された有線ケーブルを介して電子装置１００の格納部１７５に格納されたデータを外部装置（図示せず）に転送するか、または外部装置（図示せず）からデータを受信する。コネクタ１６５に連結された有線ケーブルを介して電源ソース（図示せず）から電源が入力されるか、またはバッテリー（図示せず）を充電できる。
【００７１】
キーパッド１６６は、電子装置の制御のためにユーザからキー入力を受信する。キーパッド１６６は、電子装置１００に形成される物理的なキーパッド（図示せず）、またはタッチスクリーン１９０に表示される仮想キーパッド（図示せず）を含む。電子装置１００に形成される物理的なキーパッド（図示せず）は、電子装置１００の性能または構造によって除外できる。
【００７２】
入力ユニット１６７は、電子装置１００のタッチスクリーン１９０に表示される客体（例えば、メニュー、テキスト、イメージ、図形、及びアイコン）をタッチまたは選択できる。入力ユニット１６７により、例えば、静電容量方式、抵抗方式、電磁気誘導（ｅｌｅｃｔｒｏｍａｇｎｅｔｉｃ  ｉｎｄｕｃｔｉｏｎ）方式、及び電子マグネチック反応（Ｅｌｅｃｔｒｏ  Ｍａｇｎｅｔｉｃ  Ｒｅａｃｔｉｏｎ、ＥＭＲ）方式のタッチスクリーンをタッチするか、または仮想キーパッドを用いて文字などを入力できる。
【００７３】
センサユニット１７０は、電子装置の外部の温度を検出する温度センサ１７１、電子装置の外部の湿度を検出する湿度センサ１７２を含む。センサユニット１７０のセンサは、電子装置の性能によって追加または削除できる。
【００７４】
例えば、電子装置に対して接近したか否かを検出する近接センサ（図示せず）、電子装置の周辺の光量を検出する照度センサ（図示せず）、電子装置に加えられる３軸の傾きを検出する加速度センサ（図示せず）、重力の作用方向を検出する重力センサ（Ｇｒａｖｉｔｙ  Ｓｅｎｓｏｒ）が含まれる。
【００７５】
センサユニット１７０に含まれる少なくとも１つのセンサは、電子装置１００の状態または電子装置の周辺の環境情報を検出し、検出に対応する信号を生成して制御部１１０に転送する。
【００７６】
格納部１７５は、制御部１１０の制御によって、移動通信ユニット１２０、サブ通信ユニット１３０、マルチメディアユニット１４０、カメラユニット１５０、ＧＰＳユニット１５５、入／出力ユニット１６０、センサユニット１７０、及びタッチスクリーン１９０の動作に対応するように入／出力される信号またはデータを格納する。格納部１７５は、電子装置１００または制御部１１０の制御のための制御プログラムと、製造社から提供されるか、外部からダウンロードしたアプリケーションと関連したＧＵＩ（ｇｒａｐｈｉｃａｌ  ｕｓｅｒ  ｉｎｔｅｒｆａｃｅ）、ＧＵＩを提供するためのイメージ、ユーザ情報、文書、データベース、または関連データを格納する。
【００７７】
本発明の実施形態において、“格納部”という用語は、格納部１７５、制御部１１０内のロム１１２、ラム１１３、または電子装置に取り付けられるメモリーカード（図示せず）（例えば、マイクロＳＤカード、メモリースティック）を含む。格納部は不揮発性メモリー、揮発性メモリー、ハードディスクドライブ（ＨＤＤ）、ソリッドステートドライブ（ＳＳＤ）を含む。
【００７８】
電源供給部１８０は、制御部１１０の制御によって、電子装置に位置する１つまたは複数のバッテリー（図示せず）に電源を供給する。また、電源供給部１８０はコネクタ１６５と連結された有線ケーブル（図示せず）を介して外部の電源ソース（図示せず）から入力される電源を電子装置１００に供給する。
【００７９】
タッチスクリーン１９０は、ユーザに多様なサービス（例えば、通話、データ転送、放送、写真撮影、動画、またはアプリケーション）に対応するＧＵＩ（Ｇｒａｐｈｉｃａｌ  Ｕｓｅｒ  Ｉｎｔｅｒｆａｃｅ）のようなユーザインターフェース（ｕｓｅｒ  ｉｎｔｅｒｆａｃｅ）を提供する。タッチスクリーン１９０は、ＧＵＩを介して入力される１つまたは複数のタッチに対応するアナログ信号をタッチスクリーンコントローラ１９５に転送する。タッチスクリーン１９０は、ユーザの身体（例えば、親指を含む指）またはタッチ可能な入力ユニット１６７を通じて１つまたは複数のタッチの入力を受ける。
【００８０】
本発明の実施形態において、タッチはタッチスクリーン１９０とユーザの身体またはタッチ可能な入力ユニット１６７の接触に限定されず、非接触（例えば、タッチスクリーン１９０とユーザの身体または入力ユニット１６７との検出可能な間隔が３０ｍｍ以下のホバリング（ｈｏｖｅｒｉｎｇ））を含む。タッチスクリーン１９０により検出可能な非接触間隔は電子装置の性能または構造によって変更できる。
【００８１】
タッチスクリーン１９０は、例えば、抵抗膜（ｒｅｓｉｓｔｉｖｅ）方式、静電容量（ｃａｐａｃｉｔｉｖｅ）方式、赤外線（ｉｎｆｒａｒｅｄ）方式、または音波（ａｃｏｕｓｔｉｃ  ｗａｖｅ）方式により具現できる。
【００８２】
また、タッチスクリーン１９０はアクティブ方式のスタイラスペン（図示せず）（以下、‘ペン’と称する）の接触を感知できる電子マグネチック反応（Ｅｌｅｃｔｒｏ  Ｍａｇｎｅｔｉｃ  Ｒｅａｃｔｉｏｎ、ＥＭＲ）パッドを含むことができる。
【００８３】
ペン（図示せず）は内部にコイルを含んでおり、上記コイルによりＥＭＲパッドの一定地点に磁場を形成する。ＥＭＲパッドは、形成された磁場の位置を検出してペンのタッチ位置を検出する。
【００８４】
電子マグネチック反応パッド（以下、‘ＥＭＲパッド’と称する）は、上記ペンにより形成された磁場の位置を検出してタッチスクリーン１９０の上のペンタッチ位置を検出する。
【００８５】
タッチスクリーンコントローラ１９５は、タッチスクリーン１９０から受信した１つまたは複数のタッチに対応する信号（例えば、タッチ位置に対応するＸとＹ座標）を制御部１１０に転送する。制御部１１０は、タッチスクリーンコントローラ１９５から受信した信号を用いてタッチスクリーン１９０を制御する。例えば、制御部１１０は入力されたタッチに応答してタッチスクリーン１９０に表示された短縮アイコン（図示せず）が選択されたことを表示するか、または選択された短縮アイコン（図示せず）に対応するアプリケーションを実行する。
【００８６】
制御部１１０は、タッチスクリーンコントローラ１９５から受信した信号を用いてタッチ位置に対応するＸとＹ座標を算出することもできる。本発明の実施形態に従って、１つのタッチスクリーンコントローラ１９５はタッチスクリーン１９０を制御する。電子装置１００の性能または構造に対応してタッチスクリーンコントローラ１９５は制御部１１０に含まれることもできる。
【００８７】
図１の電子装置１００に図示された構成要素は電子装置の性能に対応して少なくとも１つの構成要素が追加または削除できる。また、構成要素の位置は電子装置の性能または構造に対応して変更できることは、当該技術分野において通常の知識を有する者であれば容易に理解できる。
【００８８】
図２、図３は、本発明の電子装置のタッチスクリーンに表示される背景イメージ及びレイヤ画面を示す図である。
【００８９】
電子装置は背景イメージが表示され、ユーザ入力を感知するタッチスクリーンを含む表示部及び上記背景イメージに重畳して半透明レイヤが表示されるようにし、タッチスクリーンによりユーザ入力が感知された場合、ユーザ入力が感知された位置に該当する半透明レイヤの一部領域を透明に変更するように制御する制御部を含む。
【００９０】
図１及び図２を参照すると、タッチスクリーン１９０に背景イメージ２１０が表示されている。背景イメージ２１０は、電子装置の動作待機状態において表示される背景イメージである。
【００９１】
背景イメージ２１０の上に重畳して第１レイヤ２２０が表示できる。第１レイヤは半透明状態であり、第１レイヤ２２０を通じて背景イメージ２１０はぼんやりと見える。第１レイヤ２２０には、温度２３０、湿度２４０、及び現在時刻２５０などのグラフィック客体が表示できる。
【００９２】
第１レイヤ２２０は、制御部１１０の制御により透明度が変更できる。透明度は、０から１００までの数字により表示できる。例えば、透明度‘０’は背景イメージ２１０が全く見えない不透明状態を表す。透明度‘１０’は背景イメージ２１０がほとんど見えない半透明状態を表す。透明度‘５０’は背景イメージ２１０がぼんやりと見える半透明状態を表す。透明度‘１００’は背景イメージ２１０が完全に見える透明状態を表す。半透明状態は透明度が‘０’及び‘１００’でない状態になることができる。制御部１１０の制御により第１レイヤの透明度は０から１００まで変更できる。
【００９３】
第１レイヤ２２０に表示されるグラフィック客体２３０、２４０、２５０は不透明状態により表示できる。第１レイヤ２２０の全体的な透明度が変更されても、温度、湿度、時刻を表すグラフィック客体２３０、２４０、２５０は不透明状態を維持する。第１レイヤ２２０は、透明度が変更される領域及び透明度が変更されない領域を含む。グラフィック客体２３０、２４０、２５０が表示される領域は透明度が変更されない領域であり、その他の残りの領域は透明度が変更される領域になる。
【００９４】
第１レイヤ２２０の透明度によってタッチスクリーンに表示される背景イメージ２１０はぼんやりと表示されたり、または鮮明に表示されたりする。例えば、第１レイヤ２２０が表示される時、初期透明度は‘７０’の半透明状態になることができる。第１レイヤ２２０の透明度が‘７０’の状態において、背景イメージ２１０は若干ぼんやりと表示される。
【００９５】
図３は、本発明の電子装置のタッチスクリーンに表示される背景イメージ及びレイヤ画面の他の例を示す図である。図１及び図３を参照すると、タッチスクリーン１９０に背景イメージ２９２が表示されている。背景イメージ２９２は、電子装置の動作待機状態において表示される背景イメージである。背景イメージ２９２の上に重畳して第１レイヤ２９０が表示できる。第１レイヤ２９０は半透明状態であるので、第１レイヤ２９０を通じて背景イメージ２９２はぼんやりと見える。
【００９６】
第１レイヤ２９０は、制御部１１０により透明度が変更できる。透明度は０から１００までの数字により表示できる。例えば、透明度‘０’は背景イメージ２９２が全く見えない不透明状態を表す。透明度‘１０’は背景イメージ２９２がほとんど見えない半透明状態を表す。透明度‘５０’は背景イメージ２９２がぼんやりと見える半透明状態を表す。透明度‘１００’は背景イメージ２９２が完全に見える透明状態を表す。半透明状態は透明度が‘０’及び‘１００’でない状態になることができる。制御部１１０の制御によりレイヤの透明度は０から１００まで変更できる。
【００９７】
第１レイヤ２９０の透明度によってタッチスクリーンに表示される背景イメージ２９２はぼやけて表示されたり、または鮮明に表示されたりする。例えば、第１レイヤ２９０が表示される時、初期透明度は‘７０’の半透明状態になることができる。第１レイヤ２９０の透明度が‘７０’の状態において、背景イメージ２９２は若干ぼんやりと表示できる。
【００９８】
第１レイヤ２９０の上に重畳して第２レイヤ２８０が表示され、第２レイヤ２８０は情報が表示される不透明領域を含む。第２レイヤ２８０には電子装置の状態と関連した各種情報が表示できる。例えば、第２レイヤ２８０には、温度２８８、湿度２８６、現在時刻２８４、及び状態バー２８２などの情報を知らせるグラフィック客体が表示できる。
【００９９】
第２レイヤ２８０に表示されるグラフィック客体２８２、２８４、２８６、２８８は、不透明に表示できる。第２レイヤ２８０は、グラフィック客体２８２、２８４、２８６、２８８が表示される情報表示領域は不透明状態であり、それ以外の領域は透明な状態となっている。第２レイヤ２８０は情報が表示される不透明領域と情報が表示されない透明領域を含む。
【０１００】
図４は、本発明の電子装置のタッチスクリーンにおいて、ユーザ入力を感知する時の処理過程を説明するフローチャートである。ユーザ入力は、ユーザがタッチスクリーンをタッチ及びドラッグする動作を含む。図５、図６は、本発明の電子装置のタッチスクリーンにおいてタッチ及びドラッグにより画面に表れるグラフィック客体を示す図である。
【０１０１】
図１、図４乃至図６を参照すると、タッチスクリーン１９０に背景イメージが表示される（ステップ３１０）。タッチスクリーン１９０は、ユーザ入力を感知する。ユーザ入力は、ユーザが指またはペンのような別途の入力装置を使用してタッチスクリーンを接触するタッチ動作、タッチスクリーンに接触を維持したまま指またはペンなどを移動させるドラッグ動作になる。ユーザが指をタッチスクリーン１９０に接触すれば、タッチスクリーン１９０はタッチが発生した箇所の座標を制御部１１０に送る。
【０１０２】
制御部１１０は、上記背景イメージに重畳して半透明の第１レイヤ４００が表示されるように制御する（ステップ３２０）。半透明の第１レイヤ４００が表示されることによって、タッチスクリーン１９０には背景イメージ（図示せず）がぼんやりと見える。
【０１０３】
第１レイヤ４００には、温度を表すアイコン４１０、湿度を表すアイコン４２０、温度４３０及び湿度４４０など、多様なグラフィック客体が不透明に表示できる。
【０１０４】
制御部１１０は、タッチスクリーン１９０の上においてタッチ及びドラッグを検出する（ステップ３３０）。タッチスクリーン１９０の上に第１レイヤ４００が表示される。ユーザが指４５０により第１レイヤ４００が表示されているタッチスクリーン１９０を接触すれば、タッチスクリーン１９０は接触した位置においてタッチを感知する。タッチスクリーン１９０は、指４５０が接触した位置に対する座標を制御部１１０に送る。また、制御部１１０はタッチの連続的な動きを感知できる。タッチの連続的な動きはドラッグ動作になる。
【０１０５】
図６を参照すると、ユーザがタッチスクリーン１９０の上に表示された第１レイヤに指４７０を接触し、接触を維持したまま指を動かした軌跡４６０が表示されている。ユーザが指をタッチスクリーンに接触してタッチ及びドラッグ動作を遂行すれば、制御部１１０はタッチ及びドラッグが検出された第１レイヤの該当領域の透明度を変更して該当領域を透明に変更する（ステップ３４０）。例えば、ユーザが指４７０によりタッチスクリーンに表示された第１レイヤに絵４６０を描く動作を遂行すれば、指が過ぎた軌跡４６０の透明度が変更され、軌跡４６０が生じた領域が透明に変更される。制御部１１０は、タッチスクリーン１９０から指が通り過ぎた軌跡の座標の伝達を受けて、指が通り過ぎた軌跡に対応する第１レイヤの該当領域の透明度を変更する。
【０１０６】
第１レイヤの初期透明度は‘７０’であるが、制御部１１０は指が通り過ぎた軌跡４６０に対応する領域の透明度を‘１００’に変更する。これによって、指が通り過ぎた軌跡４６０は透明に変更され、第１レイヤの下にある背景イメージが鮮明に表示できる。
【０１０７】
図７は、本発明の電子装置のタッチスクリーンにおいて、温度によって第１レイヤが異なる属性として表示される過程を説明するフローチャートである。図８、図９は、本発明の電子装置のタッチスクリーンにおいて、温度によって第１レイヤが各々異なる属性により表示されることを示す図である。
【０１０８】
タッチスクリーンに表示される第１レイヤは、少なくとも２つの属性を有し、属性は温度によって決定できる。制御部１１０は、温度が予め決定された温度より高い場合、第１レイヤの属性を第１属性と決定し、温度が予め決定された温度以下の場合、第１レイヤの属性を第２属性と決定する。
【０１０９】
図１、図７乃至図９を参照すると、タッチスクリーン１９０に背景イメージが表示される（ステップ５１０）。電子装置は、温度センサ１７１を含むことができる。温度センサ１７１は、温度をセンシングする（ステップ５２０）。温度センサ１７１は、センシングされた温度値に対応するデータを制御部に送る。
【０１１０】
制御部１１０は、温度センサ１７１から出力された情報に基づいて温度を決定する。制御部１１０は、温度が予め決定された温度以上の場合、第１レイヤに水蒸気により曇ったイメージが表示されるようにし、温度が予め決定された温度より低い場合、第１レイヤに霜により曇ったイメージが表示されるように制御する。
【０１１１】
例えば、予め決定された温度が０℃であれば、制御部１１０は温度が０℃以上か否かを判断する（ステップ５３０）。温度が０℃以上に決定されれば、制御部１１０はタッチスクリーン１９０に表示される第１レイヤ属性を水蒸気により曇ったイメージと決定する。第１レイヤ属性が水蒸気により曇ったイメージと決定されれば、第１レイヤに水蒸気により曇ったイメージが表示される（ステップ５４０）。または、第１レイヤ６１０に水蒸気により曇ったような模様が表示される。図８は、第１レイヤ６１０が水蒸気により曇ったイメージの属性と決定されて、水蒸気により曇ったイメージがタッチスクリーンに表示されることを示している。温度が０℃より低いと決定されれば、制御部１１０はタッチスクリーン１９０に表示される第１レイヤ属性を霜により曇ったイメージと決定する。第１レイヤ属性が霜により曇ったイメージと決定されれば、第１レイヤに霜により曇ったような模様が表れる。または、第１レイヤ６２０に霜により曇ったイメージが表示される（ステップ５５０）。図９は、第１レイヤ６２０が霜により曇ったイメージの属性と決定されてタッチスクリーンに表示されることを示している。本発明の実施形態は第１レイヤが２つの属性（水蒸気により曇ったイメージ、霜により曇ったイメージ）を有することを例として説明したが、それ以上の属性を有することも可能である。
【０１１２】
制御部は、電子装置の外部から受信したデータにより温度を決定できる。制御部は、移動通信ユニット１２０またはサブ通信ユニット１３０を通じてインターネットに接続して電子装置の外部の温度または特定地域の温度を決定する。制御部は、温度が予め決定された温度以上の場合には第１レイヤに水蒸気により曇ったイメージが表示されるようにし、温度が予め決定された温度より低い場合には第１レイヤに霜により曇ったイメージが表示されるように制御する。
【０１１３】
図１０は、本発明の電子装置において、温度変化に従う処理過程を説明するフローチャートである。図１１、図１２は、本発明の電子装置のタッチスクリーンにおいて、温度変化によって透明度が変更されること示す図である。図１、図１０乃至図１２を参照すると、温度センサ１７１が温度をセンシングする（ステップ７１０）。制御部１１０は、温度センサ１７１から温度データを受信して、温度変化があるかを判断する（ステップ７２０）。また、制御部１１０は電子装置の外部から受信したデータに基づいて温度を決定できる。制御部１１０は、温度変化によって半透明状態に表示された第１レイヤの透明度を変更する（ステップ７３０）。例えば、図１１において第１レイヤ８１０は初期に透明度‘６０’の状態に表示されている。制御部１１０は、温度変化が感知されれば、第１レイヤの透明度を変更させる。温度が以前の状態より上がれば透明度を増加させ、温度が以前の状態より下がれば透明度を減少させる。または、その反対に透明度を変更させる。図１２においては、第１レイヤ８２０の透明度が‘７０’に変更されたことを図示する。第１レイヤ８２０の透明度が‘７０’に変更されるにつれて、第１レイヤの後にある背景イメージが若干鮮明に見えるようになる。
【０１１４】
制御部は、天気情報によって第１レイヤの全体領域の透明度を変更できる。天気情報は、温度、湿度、及び風向のうち、少なくとも１つが含まれる。制御部は、移動通信ユニット１２０またはサブ通信ユニット１３０を通じて電子装置の外部にある天気サーバに接続し、天気サーバからデータを受信する。
【０１１５】
図１３は、本発明の電子装置のタッチスクリーンにおいて、タッチ及びドラッグ動作が解除された時の処理過程を説明するフローチャートである。図１４は、本発明の電子装置のタッチスクリーンにおいて、タッチ及びドラッグ動作が解除された地点において第１レイヤに水滴客体が表示される図である。
【０１１６】
図１、図１３、及び図１４を参照すると、タッチスクリーン１９０に表示された背景イメージに重畳して半透明状態の第１レイヤが表示される。半透明状態の第１レイヤには水蒸気により曇ったイメージが表示される（ステップ９１０）。第１レイヤ１０２０は、水蒸気により曇ったイメージの属性を有し、水蒸気により曇ったような模様を有する水蒸気により曇ったイメージ１０２２が表示される。ユーザがタッチスクリーン１９０に表示された第１レイヤ１０２０をタッチ及びドラッグすれば、タッチスクリーン１９０はユーザが入力したタッチ及びドラッグを検出し（ステップ９２０）、検出された領域の座標を制御部１１０に送る。
【０１１７】
制御部１１０は、タッチ及びドラッグが検出された領域に該当する第１レイヤ一部分を透明に変更し（ステップ９３０）、背景イメージ１０２４が表れるようにする。制御部１１０は、タッチ及びドラッグが終わったかを決定し、タッチ及びドラッグ動作が終わった地点に水滴客体１０２６を表示するように制御する（ステップ９４０）。水滴客体１０２６は、水滴形状をグラフィックにより処理して表示した客体である。水滴客体１０２６は、制御部の制御により第１レイヤの特定位置に表示できる。水滴客体１０２６は、制御部の制御により重力方向に移動できる。
【０１１８】
即ち、制御部１１０はユーザ入力が解除された位置に水滴客体が表示されるように制御する。
【０１１９】
レイヤ１０２０にはタッチ及びドラッグが発生した領域は透明に変更されて背景イメージが表れ、タッチ及びドラッグが終わった位置において水滴客体１０２６が表示される（ステップ９４０）。
【０１２０】
図１５は本発明の電子装置におけるタッチスクリーンにおいて、水滴客体が表示された以後、一定時間経過した時の処理過程を説明するフローチャートであり、図１６、図１７は本発明の電子装置におけるタッチスクリーンにおいて、水滴客体が表示された以後、一定時間経過した時の水滴客体が移動することを示す図である。
【０１２１】
図１、図１５、及び図１７を参照すると、タッチスクリーン１９０に水蒸気により曇ったイメージ属性１２４２を有する半透明状態の第１レイヤ１２４０が背景イメージの上に重畳して表示されている。ユーザが指（図示せず）により半透明状態の第１レイヤ１２４０の一部分をタッチ及びドラッグすれば、タッチ及びドラッグが検出された第１レイヤの該当領域１２４４が透明に表示される（ステップ１１１０）。
【０１２２】
上記領域が透明に表示され、一定時間が経過すれば（ステップ１１２０）、半透明状態の第１レイヤに水滴客体が表示される（ステップ１１３０）。制御部１１０は、予め決定された時間経過後、第１レイヤ１２４０に水滴客体が表示されるように制御する。
【０１２３】
水滴客体は、タッチ及びドラッグが検出された領域の近くに表示され、または第１レイヤの隅近くのランダムな位置に表示できる。第１レイヤの上に水滴客体が表示された以後、一定時間が経過すれば（ステップ１１４０）、水滴客体が重力方向に移動できる（ステップ１１５０）。
【０１２４】
制御部１１０は、水滴客体が重力方向に移動するように制御する。例えば、図１６に示すように、ユーザが指によりタッチスクリーン１９０をタッチし、タッチを維持したまま指を一定方向（１２１４）にドラッグする。制御部１１０は、タッチスクリーン１９０からタッチ及びドラッグが検出された領域（１２１２）の座標値の受信を受ける。制御部１１０は、タッチ及びドラッグが検出された位置に対応する第１レイヤの領域が透明に変更されるように制御する。タッチスクリーンには指が動いた軌跡に対応する第１レイヤの一部領域（１２１２）が透明に表示される。以後、一定時間が経過すれば、制御部１１０はタッチ及びドラッグが解除された位置において水滴客体が第１レイヤ１２１０の上に表示されるように制御する。また、制御部１１０はタッチ及びドラッグが解除された直後に、水滴客体が第１レイヤに表示されるように制御することもできる。
【０１２５】
水滴客体が第１レイヤに表示された以後、一定時間が経過すれば、制御部１１０は水滴客体が重力方向に移動するように制御する。図１６において、水滴客体がドラッグが解除された位置（１２１６）に表示されている。図１７においては、一定時間経過後、水滴客体が重力方向に移動される過程（１２４６）が表示されている。制御部１１０は、ジャイロセンサ（図示せず）及び／または加速度センサ（図示せず）から信号を受けて重力方向を決定する。
【０１２６】
図１８は、本発明の電子装置のタッチスクリーンにおいて、第１レイヤに霜により曇ったイメージが表示された状態においてタッチ及びドラッグ検出時の処理過程を説明するフローチャートである。
【０１２７】
図１９乃至図２１は、本発明の電子装置のタッチスクリーンにおいて、第１レイヤに霜により曇ったイメージが表示された状態においてタッチ及びドラッグ動作解除時、タッチスクリーンに表示される霜固まり形状客体が表示される画面である。
【０１２８】
制御部１１０は、第１レイヤに霜により曇ったイメージが表示された場合、ユーザ入力が解除された位置において霜が押されて固まっている形態の客体が表示されるように制御する。
【０１２９】
図１、図１３、図１９を参照すると、タッチスクリーン１９０に表示された背景イメージに重畳して半透明状態の第１レイヤ１４１０が表示される。第１レイヤには霜により曇ったイメージが表示できる（ステップ１３１０）。第１レイヤ１４１０は霜により曇ったイメージの属性を有し、霜により曇ったような模様を有する霜により曇ったイメージ１４１０が表示できる。ユーザがタッチスクリーン１９０に表示された第１レイヤ１４１０をタッチ及びドラッグすれば、タッチスクリーン１９０はタッチ及びドラッグを検出し（ステップ１３２０）、検出された領域の座標を制御部１１０に送る。制御部１１０は、タッチ及びドラッグが検出された領域を透明に変更する（ステップ１３３０）。即ち、制御部は上記タッチ及びドラッグが検出された領域に該当する第１レイヤの一部分の透明度を変更して背景イメージ１４１２が鮮明に見えるようにする。制御部１１０は、タッチ及びドラッグ動作が終わったかを決定し、タッチ及びドラッグ動作が終わった地点に霜が固まっている模様の霜固まり客体１４１６を表示する（ステップ１３４０）。
【０１３０】
例えば、図２０に示すように、ユーザが指によりタッチスクリーン１９０をタッチし、タッチを維持したまま指を一定方向（１４３０）にドラッグする。制御部１１０は、タッチスクリーン１９０からタッチ及びドラッグが検出された領域１４２０の座標値の受信を受ける。制御部１１０は、第１レイヤにおいてタッチ及びドラッグが検出された領域１４２０が透明に変更されるように制御する。第１レイヤの透明度は、初期‘７０’であるが、指が動いた軌跡に対応するレイヤの一部領域１４２０は透明度が‘０’に変更されて透明に表示される。タッチ及びドラッグが解除された地点においては霜が固まっている模様の客体１４４０が表示される。図２１は、霜が固まっている模様の霜固まり客体１４５０を拡大して表示したものである。霜固まり客体１４５０は、ユーザ入力が止めた地点において半月形態に表示できる。
【０１３１】
図２２は、本発明の電子装置のタッチスクリーンにおいて、タッチ及びドラッグにより第１レイヤの一部領域が透明に変更された後、一定時間経過後の処理過程を説明するフローチャートである。図２３乃至図２５は、本発明の電子装置のタッチスクリーンにおいて、タッチ及びドラッグによりレイヤの一部領域が透明に変更された後、一定時間経過後、透明領域が消えることを示す図である。
【０１３２】
制御部１１０は、時間経過によって、ユーザ入力が発生した位置の透明度が変化するように制御する。ユーザ入力はタッチスクリーンにより感知されるタッチ及びドラッグになる。
【０１３３】
図１、図２２乃至図２５を参照すると、タッチスクリーン１９０に表示される背景イメージに重畳して半透明状態の第１レイヤ１６００が表示される。ユーザがタッチスクリーン１９０に表示された第１レイヤ１６００の任意の領域をタッチ及びドラッグすれば、タッチスクリーン１９０はタッチ及びドラッグを検出し、検出された領域の座標を制御部１１０に送る。制御部は、第１レイヤにおいてタッチ及びドラッグが検出された領域を透明に変更する（ステップ１５１０）。即ち、制御部１１０はタッチ及びドラッグが検出された領域に該当する半透明状態の第１レイヤの一部分を透明に変更する。制御部１１０は、第１レイヤの一部分が透明に変更された後、一定時間が経過したかを判断する。一定時間が経過すれば（ステップ１５２０）、制御部１１０は透明に変更された領域をまた半透明に変更する（ステップ１５３０）。半透明状態に変更する時、制御部は透明に変更された領域の透明度を徐々に減少させる。制御部は、最初の第１レイヤが有していた透明度と同一な値になるまで徐々に透明度を減少させる。例えば、第１レイヤの全体透明度は‘７０’である。第１レイヤは、最初透明度‘７０’としてタッチスクリーンに表示される。ユーザがタッチスクリーンの特定領域をタッチ及びドラッグすれば、上記特定領域の透明度は‘１００’に変更される。この状態において時間が２０秒経過すれば、制御部１１０はタッチ及びドラッグが検出された領域の透明度を‘１００’から‘７０’になるまで徐々に低めていく。
【０１３４】
図２３において、半透明状態の第１レイヤ１６００にユーザがタッチ及びドラッグ動作を遂行した領域（１６１０）が透明に表示されている。ここで、点線部分は領域を表示するために参考として図示したものであり、仮想の領域である。実際の領域はタッチ及びドラッグが発生した領域である。図２４においては、時間が経過するにつれてタッチ及びドラッグ動作を遂行した領域（１６３０）が若干半透明状態に表示されている。領域（１６３０）の内部の透明度は領域（１６３０）の外部の透明度と異なる。時間が更に経過すれば、図２５に図示したようにタッチ及びドラッグが発生した領域が完全に消える。
【０１３５】
図２６乃至図２９は、本発明の電子装置のタッチスクリーンにおいて、タッチ及びドラッグにより第１レイヤの一部領域が透明に変更された後、一定時間経過後、透明に変更された領域が順次に消えることを示す図である。
【０１３６】
図２６において、第１レイヤ１７００の上にユーザが指１７１０をタッチし、ドラッグして軌跡１７１２を作った。第１レイヤにおいて軌跡１７１２は透明に表示される。図２７において、ユーザが指により第１レイヤ１７２０をタッチ及びドラッグして更に他の軌跡１７２４を作る。この際、以前に作られた軌跡１７２２は時間が経て透明度が変更され、ぼんやりと表示される。図２８において、ユーザが第１レイヤ１７３０をタッチ及びドラッグして新たな軌跡１７３４を作る。以前に作った軌跡１７３２は時間が経るにつれて、透明度が変更され、ぼんやりと表示される。また、初めに作った軌跡１７２２は消えるようになる。図２９は、もう少し時間が経過した状態を示している。以前に作った軌跡（図示せず）は全て消えて、最後に作った軌跡１７４２のみ第１レイヤ１７４０に表示されている。
【０１３７】
時間が減るにつれて、第１レイヤは図２６乃至図２９に図示された画面に順次に変更され、軌跡が作られた順に徐々に消える。最も先に作られた軌跡１７１２が徐々に先に消えて、最後に作られた軌跡１７３４が最後に徐々に消える。
【０１３８】
図３０乃至図３２は、本発明の電子装置のタッチスクリーンにおいて、約９０％領域においてタッチ及びドラッグが発生した時、第１レイヤ全体を半透明に再変更することを示す図である。図３０乃至図３２を参照すると、半透明状態の第１レイヤ１８００の上にユーザが指（図示せず）を接触して軌跡１８１０を描く。指が接触した領域１８１０は透明に変更される。ユーザが連続して第１レイヤ１８００を指により接触することによって第１レイヤの透明領域は徐々に増加する。ユーザが指により接触する領域が第１レイヤ全体領域の約９０％位になれば、制御部１１０は第１レイヤ全体領域を初期の半透明状態になるように制御する。
【０１３９】
図３０には、ユーザがタッチスクリーンに表示された第１レイヤ１８００をタッチ及びドラッグして作った軌跡１８１０が透明に表示されている。図３１には、ユーザが第１レイヤ１８２０の全体領域のうち、９０％に近い領域をタッチ及びドラッグして外郭部分を除外した領域の大部分が透明に表示されている。図３２には、第１レイヤ全体領域の約９０％位の領域においてタッチ及びドラッグが検出されて、第１レイヤ全体領域が初期の半透明状態に変更されて表示されている。
【０１４０】
図３３は、本発明の電子装置のタッチスクリーンにおいて、湿度変更に従う処理過程を説明するフローチャートである。図３４乃至図３８は、本発明の電子装置のタッチスクリーンにおける、温度及び湿度変化による第１レイヤの多様な表示形態を示す図である。図１、図３３乃至図３８を参照すると、湿度センサ１７２は湿度をセンシングする（ステップ１９１０）。制御部１１０は、湿度センサから検出された湿度に基づいて湿度を決定する。制御部１１０は、湿度センサから出力された信号に対応して湿度を決定し、決定された湿度によって半透明状態の第１レイヤ全体領域の透明度を変更する（ステップ１９１２）。
【０１４１】
また、湿度は電子装置の外部から受信されたデータに基づいて決定できる。
【０１４２】
また、制御部１１０は決定された湿度によって第１レイヤに表示される水滴客体の表示頻度数を変更する（ステップ１９１４）。例えば、制御部はレイヤの属性が水蒸気により曇ったイメージの状態において、湿度が１００％から９０％であれば、水滴客体の表示頻度数を高くし、水滴客体が重力方向に移動する速度を早く設定する。制御部１１０は、湿度が９０％から２０％であれば、水滴客体の表示頻度数を若干高くし、水滴客体が重力方向に移動する速度を若干早く設定する。制御部１１０は、湿度が２０％から１０％であれば、水滴客体の表示頻度数を低くし、水滴客体が重力方向に移動する速度を遅く設定する。
【０１４３】
制御部１１０は、湿度が１０％から０％であれば、水滴客体の表示頻度数を極めて低く設定するか、または水滴客体を表示しないように設定し、水滴客体が重力方向に移動しないように設定する。
【０１４４】
例えば、湿度が１００％から９０％であれば、タッチスクリーンに水滴客体が１０個表れる。湿度が９０％から２０％であれば、タッチスクリーンに水滴客体が５個表れる。湿度が２０％から１０％であれば、タッチスクリーンに水滴客体が１から２個表れる。湿度が１０％から０％であれば、タッチスクリーンに水滴客体が表れない。
【０１４５】
制御部１１０は、湿度によって第１レイヤ全体領域の透明度を変更する。例えば、制御部１１０は湿度が１００％から９０％であれば、第１レイヤの透明度を３０に設定する。制御部１１０は、湿度が９０％から２０％であれば、第１レイヤの透明度を５０に設定する。制御部１１０は、湿度が２０％から１０％であれば、第１レイヤの透明度を７０に設定する。制御部１１０は、湿度が１０％から０％であれば、第１レイヤの透明度を１００に設定する。
【０１４６】
図３４は、湿度が１００％から９０％の場合である。図３４において、第１レイヤ２０００がタッチスクリーン１９０に表示されている。湿度が高いため、背景イメージ２０１０はぼやけて見える。ユーザがタッチスクリーンに指（図示せず）を接触して作った軌跡２０１４、２０１６に対応する領域が透明に変更されている。水滴客体は、ユーザが作った軌跡２０１４、２０１６と連結されて表示されている。更に他の水滴客体２０１２がレイヤ２０００の隅近くに表示されている。
【０１４７】
図３５は、湿度が２０％から１０％の場合である。第１レイヤ２０２０にはユーザが指（図示せず）により作った軌跡２０２６、２０２８が表示されている。背景イメージ２０２２は、図３４に表示された背景イメージ２０１０に比べて相対的に鮮明に見える。制御部は、湿度が２０％から１０％であれば、第１レイヤの透明度を７０に設定する。
【０１４８】
図３６は、湿度が０％の場合である。第１レイヤ２０３０の全体領域が透明な状態に変更され、背景イメージ２０３２が鮮明に表れる。
【０１４９】
制御部は、第１レイヤの属性が霜により曇ったイメージの状態において湿度が１００％から２０％であれば、第１レイヤの透明度を５０に設定する。図３７においては、湿度が１００％から２０％の時の第１レイヤ２０４０を表示している。第１レイヤ２０４０の属性が霜により曇ったイメージの場合、第１レイヤ２０４０には霜により曇ったイメージが表示される。ユーザが指をタッチスクリーン１９０に接触してタッチ及びドラッグ動作を遂行すれば、第１レイヤ２０４０に軌跡２０４４、２０４６が透明に表れる。
【０１５０】
図３８は、湿度が１０％から０％の時、タッチスクリーンに表示された第１レイヤを示す図である。制御部１１０は、湿度が１０％から０％の時、第１レイヤ２０５０の透明度を１００に設定する。
【０１５１】
制御部は、第１レイヤの属性が霜により曇ったイメージの状態においては水滴客体が表示されないようにする。
【０１５２】
図３９は、本発明の電子装置のタッチスクリーンにおいて、タッチを持続する時間によって透明に変更される領域が拡大されることを示す図である。図３９を参照すると、タッチスクリーンに表示された第１レイヤをユーザが指２１１０により接触すれば、接触した地点（２１００）が透明に変更される。ユーザが指を接触した状態を一定時間維持すれば、透明に変更された領域が徐々に拡大する。最初に、指接触により透明に変更される領域（２１００）は時間が経るにつれて透明に変更された領域の面積が拡大された状態（２１２０）に表示される。また、制御部は水滴客体２１３０が第１レイヤに表示されるように制御する。
【０１５３】
タッチスクリーン１９０は、第１レイヤが表示された状態においてユーザの指接触を感知する。制御部１１０は、タッチスクリーン１９０から指接触が発生した領域の座標を受信する。制御部１１０は、受信された座標に基づいて第１レイヤを透明に変更する領域を決定する。制御部１１０は、タッチスクリーン１９０を制御して指接触が発生した領域の透明度を変更する。これによって、第１レイヤの一部領域２１００が透明に表示される。制御部１１０は、領域２１００が透明に表示された後、指接触が続けて維持されるかを検出する。指接触が動き無しに一定時間の間１ケ所において維持されれば、制御部１１０はレイヤ上に透明に変更された領域の面積を拡大して表示する。
【０１５４】
例えば、タッチスクリーンに表示された第１レイヤにおいてユーザの指接触により透明に変更された領域は、初めには‘７０’である。ユーザが続けて指をタッチスクリーンに接触すれば、第１レイヤにおいて透明に変更された領域が‘１００’に拡大できる。
【０１５５】
図４０乃至図４３は、本発明の電子装置のタッチスクリーンにおいて、ユーザ入力を検出してユーザインターフェース封止状態を解除する過程を示す図である。
【０１５６】
本発明の電子装置は、ユーザインターフェースを表示し、ユーザ入力を感知するタッチスクリーンを含む表示部、及びユーザインターフェースに重畳して半透明レイヤがタッチスクリーンに表示されるようにして、ユーザインターフェースを封止状態に維持し、タッチスクリーンにユーザ入力が感知されれば、ユーザ入力が感知された領域に対応する半透明レイヤの一部領域の透明度を変更し、ユーザ入力が感知された領域がタッチスクリーン全体領域の一定比率以上の場合、ユーザインターフェースを封止解除状態に遷移させる制御部を含む。
【０１５７】
図１及び図４０を参照すると、タッチスクリーン１９０に半透明状態の第１レイヤ２２１０が表示されている。第１レイヤ２２１０の後にはアプリケーションを実行させるための複数のアイコンが配列されており、ぼんやりと表示されている。制御部１１０は、第１レイヤ２２１０の全体領域が半透明状態の場合、アイコンが選択されないように制御する。例えば、ユーザが指により第１レイヤ２２１０の後にぼんやりと見える複数のアイコンのうち、いずれか１つのアイコンをタッチしてもアイコンは選択されず、これに対応するアプリケーションも実行されない。
【０１５８】
図３を参照すると、タッチスクリーン１９０に複数のアイコンが配列されている背景イメージ２９２が表示されている。以下の説明において、複数のアイコンが配列されている背景イメージ２９２をデスクトップイメージと称する。ユーザが指によりタッチスクリーンに表示された複数のアイコンのうち、いずれか１つのアイコンをタッチして選択すれば、これに対応するアプリケーションが実行できる。複数のアイコンは、ユーザインターフェースとなる。
【０１５９】
複数のアイコンが配列されている背景イメージの上に重畳して半透明状態の第１レイヤ２２１０が表示された場合、制御部１１０は電子装置をユーザインターフェース封止状態に維持する。制御部１１０は、ユーザインターフェース封止状態とユーザインターフェース封止解除状態を遷移できる。
【０１６０】
図４１を参照すると、タッチスクリーン１９０に半透明状態の第１レイヤ２２２０が表示されている。第１レイヤ２２２０の後には複数のアイコンが配列されているユーザインターフェースが表示されている。ユーザインターフェースは、アプリケーションを実行するための複数のアイコンである。ユーザが指によりタッチスクリーンに表示された第１レイヤ２２２０をタッチ及びドラッグすれば、制御部はタッチ及びドラッグが発生した領域の座標をタッチスクリーン１９０から受信する。制御部１９０は、タッチ及びドラッグが入力された領域に該当する第１レイヤ２２２０の一部領域（２２２２）の透明度を変更して透明な状態に変更する。第１レイヤ２２２０の透明な領域においては、複数のアイコンのうち、一部のアイコンが鮮明に表示される。ユーザ入力により第１レイヤ２２２０は透明領域（２２２２）と半透明領域（２２２４）を含むことになる。制御部１９０は、タッチスクリーンにおいてタッチ及びドラッグが発生した領域が全体面積の９０％以上の場合、ユーザインターフェース封止状態をユーザインターフェース封止解除状態に遷移させる。
【０１６１】
図４２を参照すると、タッチスクリーン１９０に表示された第１レイヤ２２３０の９０％以上をユーザがタッチ及びドラッグして第１レイヤ２２３０の外郭部分のみ半透明状態を維持し、内部は透明状態に変更された画面が図示されている。第１レイヤ２２３０の９０％以上が透明に変更された状態において制御部１１０は電子装置の状態をユーザインターフェース封止解除状態に遷移させる。
【０１６２】
図４３を参照すると、ユーザインターフェース封止解除状態に遷移された画面が図示されている。タッチスクリーン１９０において第１レイヤ（図示せず）が透明に表示され、複数のアイコンが配列されているデスクトップイメージ２２４０が表示されている。ユーザは、デスクトップイメージに表れたアイコンをタッチして該当アプリケーションを実行できる。
【０１６３】
図４４乃至図４６は、ユーザインターフェース封止状態においてタッチスクリーンの一部分の領域がユーザインターフェース封止解除状態に切り換えられる過程を示す図である。
【０１６４】
電子装置は、アプリケーションを実行させるための複数のアイコンを表示し、ユーザ入力を感知するタッチスクリーンを含む表示部及び複数のアイコンに重畳して半透明レイヤを表示して複数のアイコンが選択されないようにし、タッチスクリーンにユーザ入力が感知されれば、ユーザ入力が感知された領域に対応する半透明レイヤの透明度を変更して複数のアイコンのうち、少なくとも１つのアイコンが選択可能な状態になるように制御する制御部を含む。
【０１６５】
図１及び図４４を参照すると、タッチスクリーン１９０に複数のアイコンが表示されたデスクトップイメージが表示されており、その上に半透明状態の第１レイヤ２３００が表示されている。複数のアイコンは、第１レイヤによりぼんやりと表示される。制御部は、第１レイヤ２３００の全体領域が半透明状態の場合、ユーザインターフェース封止状態を維持する。例えば、アイコン２３１０は半透明状態の第１レイヤの下にぼんやりと表示されている。ユーザがアイコン２３１０をタッチしても装置がユーザインターフェース封止状態にあるのでアイコン２３１０は選択されない。
【０１６６】
図４５を参照すると、タッチスクリーン１９０に複数のアイコンが表示されたデスクトップイメージが表示されており、その上に半透明状態の第１レイヤ２３２０が表示されている。第１レイヤ２３２０は、透明に変更された透明領域（２３２２）と半透明状態を維持している半透明領域（２３２４）を含む。第１レイヤ２３２０の透明領域（２３２２）は、ユーザ入力により半透明状態から透明状態に変更された。第１レイヤ２３２０の他の領域（２３２４）は、半透明状態を維持する。第１レイヤ２３２０の透明領域（２３２２）には、複数のアイコンのうちの一部アイコンが表れており、半透明領域（２３２４）の下にあるアイコンに比べて相対的に鮮明に表示される。制御部１１０は、透明領域（２３２２）に表示されているアイコンが選択できるように制御する。制御部１１０は、半透明レイヤ２３２０の一部領域がユーザ入力により透明に変更されれば、ユーザインターフェース封止状態を部分的に解除状態に変更する。制御部１１０は、電子装置をユーザインターフェース封止状態からユーザインターフェース部分封止解除状態に切り換える。例えば、ユーザが指によりタッチスクリーン１９０をタッチ及びドラッグして半透明状態の第１レイヤ２３２０の一部領域を透明にする。制御部１１０は、タッチスクリーンにおいてユーザ入力を感知してユーザ入力が感知された領域に該当する第１レイヤの一部領域（２３２２）の透明度を変更して該当領域を透明に変更する。この状態においてユーザがアイコン２３２６をタッチすれば、制御部１１０はアイコン２３２６に対応するアプリケーションが実行されるようにする。
【０１６７】
図４６には、図４５においてユーザがアイコン２３２６をタッチした時、対応するアプリケーションが実行される画面２３３０を示す図である。ユーザが図４５においてギャラリーアイコン２３２６を選択することによって、ギャラリーアプリケーション実行画面２３３０が表示される。
【０１６８】
前述した内容は多様なコンピュータ手段を通じて遂行できるプログラム命令形態に具現されてコンピュータ読取可能媒体に記録できる。上記コンピュータ読取可能媒体は、プログラム命令、データファイル、データ構造などを単独に、または組み合わせて記録する。上記媒体に記録されるプログラム命令は、本発明のために特別に設計され構成されたもの、またはコンピュータソフトウェア当業者に公知されて使用可能なものでありうる。コンピュータ読取可能記録媒体の例には、ハードディスク、フロッピー（登録商標）ディスク、及び磁気テープなどの磁気媒体（ｍａｇｎｅｔｉｃ  ｍｅｄｉａ）、ＣＤ−ＲＯＭ、ＤＶＤなどの光記録媒体（ｏｐｔｉｃａｌ  ｍｅｄｉａ）、フロプティカルディスク（ｆｌｏｐｔｉｃａｌ  ｄｉｓｋ）などの磁気−光媒体（ｍａｇｎｅｔｏ−ｏｐｔｉｃａｌ  ｍｅｄｉａ）、及びロム（ＲＯＭ）、ラム（ＲＡＭ）、フラッシュメモリーなどのプログラム命令を格納し遂行するように特別に構成されたハードウェア装置が含まれる。プログラム命令の例には、コンパイラーにより作られる機械語コードだけでなく、インタープリターなどを使用してコンピュータにより実行できる高級言語コードを含む。上記のハードウェア装置は、本発明の動作を遂行するために、１つ以上のソフトウェアモジュールとして作動するように構成される。
【０１６９】
以上のように、本発明を上述において限定された実施形態と図面により説明したが、本発明は上記の実施形態に限定されるものではなく、本発明が属する分野において通常の知識を有する者であれば、このような記載から多様な修正及び変形が可能である。したがって、本発明の範囲は説明された実施形態に限定されてはならず、後述する特許請求範囲だけでなく、この特許請求範囲と均等なものにより定められるべきである。
【符号の説明】
【０１７０】
１００  電子装置
１１０  制御部
１２０  移動通信ユニット
１３０  サブ通信ユニット
１４０  マルチメディアユニット
１５０  カメラユニット
１５５  ＧＰＳユニット
１６０  入／出力ユニット
１６５  コネクタ
１７０  センサユニット
１７５  格納部
１８０  電源供給部
１９０  タッチスクリーン
１９５  タッチスクリーンコントローラ
２１０、１０２４、１４１２、２０１０、２０２２、２０３２  背景イメージ
２２０、２９０、４００、６１０、６２０、８１０、８２０、１０２０、１２１０、１２４０、１４１０、１６００、１７００、１７２０、１７３０、１７４０、１８００、１８２０、２０００、２０２０、２０３０、２０４０、２０５０、２２１０、２２２０、２２３０、２３００、２３２０    第１レイヤ
２８０  第２レイヤ
２３０、２４０、２５０、２８２、２８４、２８６、２８８    グラフィック客体
１０２６、２０１２、２１３０  水滴客体
１４１６、１４５０  霜固まり客体
【図１】
2014179102.tif 000003
【図２】
2014179102.tif 000004
【図３】
2014179102.tif 000005
【図４】
2014179102.tif 000006
【図５】
2014179102.tif 000007
【図６】
2014179102.tif 000008
【図７】
2014179102.tif 000009
【図８】
2014179102.tif 000010
【図９】
2014179102.tif 000011
【図１０】
2014179102.tif 000012
【図１１】
2014179102.tif 000013
【図１２】
2014179102.tif 000014
【図１３】
2014179102.tif 000015
【図１４】
2014179102.tif 000016
【図１５】
2014179102.tif 000017
【図１６】
2014179102.tif 000018
【図１７】
2014179102.tif 000019
【図１８】
2014179102.tif 000020
【図１９】
2014179102.tif 000021
【図２０】
2014179102.tif 000022
【図２１】
2014179102.tif 000023
【図２２】
2014179102.tif 000024
【図２３】
2014179102.tif 000025
【図２４】
2014179102.tif 000026
【図２５】
2014179102.tif 000027
【図２６】
2014179102.tif 000028
【図２７】
2014179102.tif 000029
【図２８】
2014179102.tif 000030
【図２９】
2014179102.tif 000031
【図３０】
2014179102.tif 000032
【図３１】
2014179102.tif 000033
【図３２】
2014179102.tif 000034
【図３３】
2014179102.tif 000035
【図３４】
2014179102.tif 000036
【図３５】
2014179102.tif 000037
【図３６】
2014179102.tif 000038
【図３７】
2014179102.tif 000039
【図３８】
2014179102.tif 000040
【図３９】
2014179102.tif 000041
【図４０】
2014179102.tif 000042
【図４１】
2014179102.tif 000043
【図４２】
2014179102.tif 000044
【図４３】
2014179102.tif 000045
【図４４】
2014179102.tif 000046
【図４５】
2014179102.tif 000047
【図４６】
2014179102.tif 000048